(57)【要約】【課題】  ハブをその習性を利用して安全確実に捕獲すること。【解決手段】  前後両端に出入口１Ａ，１Ｂを開設した透光性合成樹脂からなる角筒状ケース１と、該ケース１の出口１Ａに着脱可能に取り付けられた袋体２とを有し、前記ケース１内が上下２室９，１０に分けられ、その上側室９内に加温部１５及び光点滅部１６を収納した透光性合成樹脂からなる収納箱１１が配置されると共に、その下側室１０内が仕切板１２により前後２区画１０ａ，１０ｂに分けられ、その出口側区画１０ａ内に仕切板１２を貫通してケース１の出口１Ａまで延びる逆止弁２４付き筒体２２が配置され、その入口側区画１０ｂ内と前記袋体２内とにハブ誘因物質が配置されており、ハブＨを入口側区画１０ｂ内から逆止弁２４付き筒体２２を通って袋体２内に誘い込み、そのハブＨが入った袋体２をケース１から取り外すようにした。【選択図】        図２
0003149880.tif 000002
【実用新案登録請求の範囲】
【請求項１】
前後両端に出入口を開設した透光性合成樹脂からなる角筒状ケースと、該ケースの出口に着脱可能に取り付けられた袋体とを有し、前記ケース内が上下２室に分けられ、その上側室内に加温部及び光点滅部を収納した透光性合成樹脂からなる収納箱が配置されると共に、その下側室内が仕切板により前後２区画に分けられ、その出口側区画内に仕切板を貫通してケースの出口まで延びる逆止弁付き筒体が配置され、その入口側区画内と前記袋体内とにハブ誘因物質が配置されており、ハブを入口側区画内から逆止弁付き筒体を通って袋体内に誘い込み、そのハブが入った袋体をケースから取り外すようにしてなるハブ捕獲器。
【請求項２】
前記逆止弁２４付き筒体２２には、前記加温部１５の温熱が該筒体２２内に伝達されるよう貫通孔２２ａが形成されてなる請求項１に記載のハブ捕獲器
【請求項３】
前記ケースの四隅に前後方向に沿って隅部長孔が形成され、該各隅部長孔に支持杆が移動可能に挿通されており、その各支持杆の先端を前記袋体内に差し込んでその袋体を内側から広げるようにしてなる請求項１または２に記載のハブ捕獲器。
【請求項４】
前記ケースの上部中央に前後方向に沿って中央長孔が形成され、該中央長孔に中央杆が移動可能に挿通されており、該中央杆の先端にハブ誘因物質を含浸させた囮を吊り下げて、その囮を前記袋体内に配置するようにしてなる請求項１〜３のいずれかに記載のハブ捕獲器。
【請求項５】
前記入口側区画内の底面にハブ誘因物質を含浸させたマットが配置されてなる請求項１〜４のいずれかに記載のハブ捕獲器。
【考案の詳細な説明】
【技術分野】
【０００１】
本考案は、ハブ捕獲器に関し、特に、ハブをその習性を利用して安全確実に捕獲することができるようにしたものである。
【背景技術】
【０００２】
従来、蛇捕獲器の一例として特許文献１に記載したものがある。これは、蛇の通り道にワイヤを環状に配置しておき、そのワイヤ内に蛇が入ると、それを検知する検知器の検知信号に基づいてモータを駆動してドラムを回転させることにより、該ドラムにワイヤを巻き取って、そのワイヤにより蛇を縛りつけて捕獲する。
【先行技術文献】
【特許文献】
【０００３】
【特許文献１】特開平７−３２２８０４号公報
【考案の概要】
【考案が解決しようとする課題】
【０００４】
上記従来の構成では、ワイヤ、検知器、モータ及びドラムなどからなり、部品点数が多くて製作費が高くつく。また、巻き取ったワイヤから蛇が逃げることがあり、捕獲率が低いという難点がある。
【０００５】
本考案は、上記従来の欠点に鑑み、ハブをその習性を利用して安全確実に捕獲することができるようにしたハブ捕獲器を提供することを目的としている。
【課題を解決するための手段】
【０００６】
上記目的を達成するため、請求項１に記載の考案は、前後両端に出入口１Ａ，１Ｂを開設した透光性合成樹脂からなる角筒状ケース１と、該ケース１の出口１Ａに着脱可能に取り付けられた袋体２とを有し、前記ケース１内が上下２室９，１０に分けられ、その上側室９内に加温部１５及び光点滅部１６を収納した透光性合成樹脂からなる収納箱１１が配置されると共に、その下側室１０内が仕切板１２により前後２区画１０ａ，１０ｂに分けられ、その出口側区画１０ａ内に仕切板１２を貫通してケース１の出口１Ａまで延びる逆止弁２４付き筒体２２が配置され、その入口側区画１０ｂ内と前記袋体２内とにハブ誘因物質が配置されており、ハブＨを入口側区画１０ｂ内から逆止弁２４付き筒体２２を通って袋体２内に誘い込み、そのハブＨが入った袋体２をケース１から取り外すようにしてなる構成を採用するものである。
【０００７】
請求項２に記載の考案は、請求項１に記載の考案において、前記逆止弁２４付き筒体２２には、前記加温部１５の温熱が該筒体２２内に伝達されるよう貫通孔２２ａが形成されてなる構成を採用するものである。
【０００８】
請求項３に記載の考案は、請求項１または２に記載の考案において、前記ケース１の四隅に前後方向ａ，ｂに沿って隅部長孔３が形成され、該各隅部長孔３に支持杆２６が移動可能に挿通されており、その各支持杆２６の先端を前記袋体２内に差し込んでその袋体２を内側から広げるようにしてなる構成を採用するものである。
【０００９】
請求項４に記載の考案は、請求項１〜３のいずれかに記載の考案において、前記ケース１の上部中央に前後方向に沿って中央長孔４が形成され、該中央長孔４に中央杆２７が移動可能に挿通されており、該中央杆２７の先端にハブ誘因物質を含浸させた囮２８を吊り下げて、その囮２８を前記袋体２内に配置するようにしてなる構成を採用するものである。
【００１０】
請求項５に記載の考案は、請求項１〜４のいずれかに記載の考案において、前記入口側区画１０ｂ内の底面にハブ誘因物質を含浸させたマット３０が配置されてなる構成を採用するものである。
【考案の効果】
【００１１】
請求項１に記載の考案によれば、小動物の匂いなどからなるハブ誘因物質を入れた袋体２付きケース１をハブＨが夜間に出そうな場所に設置し、加温部１５によりハブＨの餌となる小動物の体温と同程度の温度に加温し、光点滅部１６により光を点滅させてハブＨの注意を引くことにより、ハブＨは習性として入口側区画１０ｂ内から逆止弁２４付き筒体２２を通って袋体２内に自然に誘い込まれるから、翌日、ケース１から袋体２を取り外すことにより、ハブＨを安全確実に捕獲することができる。
【００１２】
また、袋体２内に入ったハブＨは筒体２２の逆止弁２４により後戻りできないから、捕獲率を極めて高く設定することができる。
【００１３】
請求項２に記載の考案によれば、前記逆止弁２４付き筒体２２には、前記加温部１５の温熱が該筒体２２内に伝達されるよう貫通孔２２ａが形成されてなるため、ハブＨは温熱の存在する場所に誘い込まれる習性によって、該筒体２２内に効率的に誘引しその捕獲率を上げることができる。
【００１４】
請求項３に記載の考案によれば、ケース１の各隅部長孔３に疎通した各支持杆２６の先端を袋体２内に差し込んでその袋体２を内側から広げることにより、内部空間を大きくした袋体２内にハブＨを容易に誘い込むことができる。また、各支持杆２６を各隅部長孔３内に押し込んで収納することにより、支持杆２６付きケース１の専有面積を小さくして搬送し易くすることができる。
【００１５】
請求項４に記載の考案によれば、ケース１の中央長孔４に挿通した中央杆２７の先端にハブ誘因物質を含浸させた囮２８を吊り下げることにより、その囮２８を袋体２内の中央部に所望通りに配置することができる。
【００１６】
請求項５に記載の考案によれば、ケース１の入口側区画１０ｂ内の底面にハブ誘因物質を含浸させたマット３０を配置することにより、ハブＨをその習性を利用してケース１内に自然に誘い込むことができる。
【図面の簡単な説明】
【００１７】
【図１】本考案の実施の一形態であるハブ捕獲器を示す斜視図である。
【図２】同縦断面図である。
【図３】図２のＡ−Ａ矢視図である。
【図４】図２のＢ−Ｂ矢視図である。
【図５】図２のＣ−Ｃ矢視図である。
【図６】同ケースの出口側分解斜視図である。
【図７】同ケースの入口側斜視図である。
【図８】同ケースの入口側分解斜視図である。
【図９】（ａ）はハブ捕獲手順の前段説明図、（ｂ）は同手順の後段説明図である。
【考案を実施するための形態】
【００１８】
図１〜図９は本考案の実施の一形態であるハブ捕獲器を示すものであって、前後両端に出入口１Ａ，１Ｂを開設した透光性合成樹脂からなる角筒状ケース１と、該ケース１の出口１Ａに着脱可能に取り付けられた袋体２とを有している。
【００１９】
図６に示すように、前記ケース１は、例えば前後方向ａ，ｂの長さが５５０ｍｍ、高さ及び横幅が３５０〜４００ｍｍ程度の角筒状に形成され、両側板１ａ，１ｂと天板１ｃ及び底板１ｄとを有し、その天板１ｃに平行状態で接近する天井板１ｅ及び底板１ｄに平行状態で接近する床板１ｆがそれぞれケース１に一体形成され、天板１ｃと天井板１ｅとの間及び底板１ｄと床板１ｆとの間で両側板１ａ，１ｂに平行状態で接近する区切り板１ｇをケース１に一体形成すことにより該ケース１の四隅に隅部長孔３が前後方向ａ，ｂに沿って形成され、天板１ｃと天井板１ｅとの間の中央に互いに平行する一対の区切り板１ｈをケース１に一体形成することによりその両区切り板１ｈ間に中央長孔４が前後方向ａ，ｂに沿って形成され、底板１ｄの下面両側に一対の略Ｌ字状脚板５が一体突設され、ケース１の外周面の出口近傍に複数の略三角形状ストッパ６が周方向に沿って所定間隔ごとに一体突設されている。
【００２０】
図１及び図２に示すように、前記ケース１の両側板１ａ，１ｂの内周面下部近傍に前後方向ａ，ｂに沿ってガイドレール８が一体突設され、その両ガイドレール８を境にしてケース１内が上下２室９，１０に分けられ、その上側室９内のガイドレール８上に透光性合成樹脂からなる収納箱１１が前後方向ａ，ｂに移動可能に配置されると共に、その下側室１０内が透光性合成樹脂からなる仕切板１２により前後２区画１０ａ，１０ｂに分けられている。
【００２１】
図２及び図３に示すように、前記収納箱１１内のプリント配線基板からなる制御基板１４上に、シーズヒータなどからなる加温部１５と、ＬＥＤなどからなる光点滅部１６と、乾電池などからなる電源部１７と、オン・オフの切換えスイッチ１８とが配置され、加温部１５の底面に対向して収納箱１１の底板及び制御基板１４に開口部１９が形成されており、該開口部１９から加温部１５の温熱が下側室１０に導入され、切換えスイッチ１８をオンとし、加温部１５によりハブＨの餌となる小動物の体温と同程度の温度に加温し、光点滅部１６により光を点滅させてハブＨの注意を引くことにより、ハブＨの習性を利用して、ケース１までハブＨを誘うようになっている。なお、収納箱１１の後端部上端に把手部１１ａが一体突設されている。
【００２２】
図２、図４〜図６に示すように、出口側区画１０ａ内に、仕切板１２と同一形状の透光性合成樹脂からなる区画板２１が該仕切板１２と平行して配置され、その仕切板１２及び区画板２１を貫通してケース１の出口１Ａまで延びる１本または複数本（この実施の形態では２本）の透光性合成樹脂からなる円筒状の筒体２２が配置され、該筒体２２の内径が例えば５０〜１００ｍｍに設定され、その筒体２２の出口２２ｂが後方ｂに向かって斜め上向きに傾斜され、筒体２２の出口側上端に所定間隔をおいて一対のＵ字状軸受２３が一体突設され、上端軸部２４ａを各軸受２３の凹溝に回動可能に嵌め込むことにより出口２２ａ上に載置される透光性合成樹脂からなる逆止弁２４が設けられており、筒体２２内に入ったハブＨが頭部により逆止弁２４を押し上げて袋体２内に誘い込まれる（図２仮想線参照）。その後、逆止弁２４により出口２２ｂが塞がれるので、ハブＨが筒体２２を通って後戻りできず、捕獲率を極めて高く設定することができる。
【００２３】
図１〜図３に示すように、前記袋体２は、網からなる袋本体２ａと、該袋本体２ａの入れ口に縫製した縁布２ｂと、袋本体２ａの入れ口に取り付けた紐体２ｃとにより巾着袋状に形成されており、縁布２ｂをケース１の出口１Ａに被せて袋本体２ａの網目を各ストッパ６に引っ掛けることにより、袋体２をケース１の出口１Ａに取り付けており、ハブＨが袋体２に入った後、その袋体２をケース１から取り外し、紐体２ｃを引っ張って結束することにより、ハブＨを捕獲する。またハブＨの温熱に誘引される習性を利用するため、該筒体２２には、加温部１５より下側室１０に導入された温熱が筒体２２内に伝達されるよう複数の貫通孔２２ａが形成されている。
【００２４】
図１、図２及び図６に示すように、４本の合成樹脂製支持杆２６が前記各隅部長孔３に移動可能に挿通され、上側２本の支持杆２６の先端どうし及び下側２本の支持杆２６の先端どうしがそれぞれ連結杆２６ａにより一体連結されており、その各支持杆２６の先端を袋体２内に差し込んでその袋体２を内側から広げているから、内部空間を大きくした袋体２内にハブＨを容易に誘い込むことができる。また、各支持杆２６を各隅部長孔３内に押し込んで収納することにより、支持杆２６付きケース１の専有面積を小さくして搬送し易くすることができる。
【００２５】
図１、図２及び図６に示すように、１本の合成樹脂製中央杆２７が前記中央長孔４に挿通されており、該中央杆２７の先端Ｕ字部２７ａに小鳥やネズミなど小動物からなる囮２８を吊り下げ、その囮２８にはハブＨが好む小動物の匂いや糞などのハブ誘因物質を含浸させている。この構成により、袋体２内の中央部に囮２８を所望通りに配置することができる。なお、囮２８を例えば電気仕掛けで生きているように動かしてももよく、この場合、ハブＨを袋体２内に一層誘い込み易くなる。
【００２６】
図２及び図８に示すように、入口側区画１０ｂ内の底面にスポンジなどからなるマット３０が配置され、そのマット３０にはハブＨが好む小動物の匂いや糞などのハブ誘因物質や水分を含浸させており、ハブＨをその習性を利用してケース１内に自然に誘い込むことができる。
【００２７】
図７及び図８中、３１はケース１の出口１Ａで入口側区画１０ｂを縁取る透光性合成樹脂からなる縁板であって、該縁板３１の下部両端に一体突設した突起部３１ａを各隅部長孔３に嵌入させることにより、入口側区画１０ｂの外周縁に取り付けられる。
【００２８】
ハブＨの捕獲手順を説明すると、図２に示すように、袋体２付きケース１をハブＨが夜間に出そうな場所に設置し、切換えスイッチ１８をオン状態にして、加温部１５により加温すると共に、光点滅部１６を点滅させ、ハブ誘因物質により誘ったハブＨを入口側区画１０ｂ内及び筒体２２を通って袋体２内まで誘い込む。この際、筒体２２には複数の貫通孔２２ａが形成されているため、加温部１５からの温熱が筒体２２には複数の貫通孔２２ａが形成されているため、加温部１５からの温熱が筒体２２内に伝達され、これがためにハブＨはその習性により温熱をもとめて筒体２２内に誘引されやすくなっている。続いて、図９（ａ）に示すように、ケース１を把持して持ち上げることにより、袋体２内の底にハブＨを集める。その後、図９（ｂ）に示すように、ケース１から袋体２を取り外し、紐体２ｃを引っ張って結束することにより、ハブＨを捕獲する。
【００２９】
上記構成によれば、小動物の匂いなどからなるハブ誘因物質を入れた袋体２付きケース１をハブＨが夜間に出そうな場所に設置し、加温部１５によりハブＨの餌となる小動物の体温と同程度の温度に加温し、光点滅部１６により光を点滅させてハブＨの注意を引くことにより、ハブＨは習性として温熱をもとめて入口側区画１０ｂ内から逆止弁２４付き筒体２２を通って袋体２内に自然に誘い込まれるから、翌日、ケース１から袋体２を取り外すことにより、ハブＨを安全確実に捕獲することができる。
【符号の説明】
【００３０】
１          ケース
１Ａ，１Ｂ  ケースの出入口
２          袋体
３          隅部長孔
４          中央長孔
９          上側室
１０        下側室
１０ａ      出口側区画
１０ｂ      入口側区画
１１        収納箱
１２        仕切板
１５        加温部
１６        光点滅部
２２        筒体
２２ａ      貫通孔
２４        逆止弁
２６        支持杆
２７        中央杆
２８        囮
３０        マット
ａ，ｂ      前後方向
Ｈ          ハブ
【図１】
0003149880.tif 000003
【図２】
0003149880.tif 000004
【図３】
0003149880.tif 000005
【図４】
0003149880.tif 000006
【図５】
0003149880.tif 000007
【図６】
0003149880.tif 000008
【図７】
0003149880.tif 000009
【図８】
0003149880.tif 000010
【図９】
0003149880.tif 000011